(57)【要約】【課題】受話器の使い勝手を維持しながら表示部の大きさを拡大することが可能な自動取引装置を提供する。【解決手段】自動取引装置であって、音声出力を行う受話器を格納する受け部と、前記受け部と前記自動取引装置の水平方向に並べて配置される表示部と、を備え、前記表示部は、前記水平方向の一方の側に偏って配置され、前記受け部は、前記水平方向の他方の側に配置され、前記表示部の前記水平方向の表示領域の幅は、前記水平方向の幅の６６％以上である、自動取引装置。【選択図】図１
2015194824.tif 000002
【特許請求の範囲】
【請求項１】
自動取引装置であって、
音声出力を行う受話器を格納する受け部と、
前記受け部と前記自動取引装置の水平方向に並べて配置される表示部と、
を備え、
前記表示部は、前記水平方向の一方の側に偏って配置され、
前記受け部は、前記水平方向の他方の側に配置され、
前記表示部の前記水平方向の表示領域の幅は、前記水平方向の幅の６６％以上である、自動取引装置。
【請求項２】
前記自動取引装置の水平方向の幅が４５８ｍｍ以下であり、
前記表示部の前記水平方向の表示領域の幅は、３０４．１ｍｍ以上である、請求項１に記載の自動取引装置。
【請求項３】
前記受け部は、前記受け部に格納された状態の前記受話器の長辺側面に隣接する少なくとも１の突出部を有する、請求項１または２に記載の自動取引装置。
【請求項４】
前記受け部は、前記自動取引装置に形成された凹部であり、
前記受け部に格納された状態の前記受話器は、前記受け部の縁部よりも前記自動取引装置の外側に突出する、請求項１〜３のいずれか１項に記載の自動取引装置。
【請求項５】
前記受話器の長辺側面の両側面は、前記受話器が前記受け部に格納された状態で、前記突出部と重ならない位置に、前記受話器の長辺側面と前記受け部の縁部との間に隙間が生じるように形成される、請求項３に記載の自動取引装置。
【請求項６】
前記受け部は、前記表示部の下端よりも重力方向にずれて配置される、請求項１〜５のいずれか１項に記載の自動取引装置。
【請求項７】
前記自動取引装置は、ユーザとの取引に係る物品の入出力を行う入出力部を備え、
前記入出力部は、前記表示部の位置を基準に配置される、請求項１〜６のいずれか１項に記載の自動取引装置。
【発明の詳細な説明】
【技術分野】
【０００１】
本発明は、自動取引装置に関する。
【背景技術】
【０００２】
近年、顧客が入出金および振込等を行うＡＴＭ（Automated  Teller  Machine）のような自動取引装置が一般に普及し、様々な場所に設置されるようになっている。このような自動取引装置には、ハンドセットのような音声出力装置が備えられる場合があり、音声出力装置は、自動取引装置の利用ガイダンスまたは自動取引装置の故障時の問合せ等に用いられる。
【０００３】
例えば、特許文献１では、入力キーを備えるハンドセットがディスプレイの水平方向に隣接して設置される自動取引装置が開示されている。また、特許文献２では、自動ダイヤルホンが顧客表示部から離れた位置に設置される自動取引装置が開示されている。
【先行技術文献】
【特許文献】
【０００４】
【特許文献１】特開２００４−４６４９４号公報
【特許文献２】特開２００１−１２６１２０号公報
【発明の概要】
【発明が解決しようとする課題】
【０００５】
しかし、特許文献１および特許文献２で開示される発明には、ディスプレイサイズの拡大とハンドセットの使い勝手を両立させることが困難であるという問題があった。
【０００６】
例えば、特許文献１で開示される発明では、ディスプレイサイズを大きくすると、ハンドセットを水平方向にディスプレイに隣接させて設置することが難しくなる。また、特許文献２で開示される発明では、ディスプレイサイズを大きくしてもハンドセットの配置には影響しないが、ハンドセットがディスプレイから離れた位置に設置されるため、ディスプレイを参照しながらハンドセットを操作することが難しい。
【０００７】
そこで、本発明は、上記問題に鑑みてなされたものであり、本発明の目的とするところは、受話器の使い勝手を維持しながら表示部の大きさを拡大することが可能な、新規かつ改良された自動取引装置を提供することにある。
【課題を解決するための手段】
【０００８】
上記課題を解決するために、本発明のある観点によれば、自動取引装置であって、音声出力を行う受話器を格納する受け部と、前記受け部と前記自動取引装置の水平方向に並べて配置される表示部と、を備え、前記表示部は、前記水平方向の一方の側に偏って配置され、前記受け部は、前記水平方向の他方の側に配置され、前記表示部の前記水平方向の表示領域の幅は、前記水平方向の幅の６６％以上である、自動取引装置が提供される。
【０００９】
また、前記自動取引装置の水平方向の幅が４５８ｍｍ以下であり、前記表示部の前記水平方向の表示領域の幅は、３０４．１ｍｍ以上であってもよい。
【００１０】
また、前記受け部は、前記受け部に格納された状態の前記受話器の長辺側面に隣接する少なくとも１の突出部を有してもよい。
【００１１】
また、前記受け部は、前記自動取引装置に形成された凹部であり、前記受け部に格納された状態の前記受話器は、前記受け部の縁部よりも前記自動取引装置の外側に突出してもよい。
【００１２】
また、前記受話器の長辺側面の両側面は、前記受話器が前記受け部に格納された状態で、前記突出部と重ならない位置に、前記受話器の長辺側面と前記受け部の縁部との間に隙間が生じるように形成されてもよい。
【００１３】
また、前記受け部は、前記表示部の下端よりも重力方向にずれて配置されてもよい。
【００１４】
また、前記自動取引装置は、ユーザとの取引に係る物品の入出力を行う入出力部を備え、前記入出力部は、前記表示部の位置を基準に配置されてもよい。
【発明の効果】
【００１５】
以上説明したように本発明によれば、受話器の使い勝手を維持しながら表示部の大きさを拡大することが可能な自動取引装置が提供される。
【図面の簡単な説明】
【００１６】
【図１】本発明の一実施形態に係る自動取引装置の概要を説明するための図である。
【図２Ａ】従来の自動取引装置の構成の例を示す正面図である。
【図２Ｂ】従来の自動取引装置の構成の他の例を示す正面図である。
【図３】本発明の一実施形態に係る自動取引装置の概略的な構成を示す側面図および正面図である。
【図４】本実施形態に係る自動取引装置の図３におけるＩ−Ｉの線で切断された断面図である。
【図５】本実施形態に係る自動取引装置のハンドセット受け部の周辺の形状の例を示す斜視図である。
【図６】本実施形態の変形例に係る自動取引装置のハンドセット受け部にハンドセットが格納された状態の例を示す斜視図である。
【図７】本実施形態の変形例に係る自動取引装置のハンドセット受け部からハンドセットが外された状態の例を示す斜視図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
＜１．自動取引装置の概要＞
まず、図１を参照して、本発明の一実施形態に係る自動取引装置の概要を説明する。図１は、本発明の一実施形態に係る自動取引装置の概要を説明するための図である。
【００１９】
本発明の一実施形態に係る自動取引装置は、顧客が紙幣および硬貨等の入出金を行う自動取引装置である。例えば、図１に示したように、自動取引装置は、筐体１００、表示部１１０、ハンドセット受け部１２０、ハンドセット１２２、カード挿入口１３０および入出金口１４０を備える。筐体１００は、自動取引装置の外装であり、自動取引装置の他の構成要素を収容する。表示部１１０は、自動取引装置の水平方向にハンドセット受け部１２０と並べて配置され、顧客に取引内容等を表示する。ハンドセット受け部１２０は、通話機能を有するハンドセット１２２を格納する。このため、顧客は、取引内容等が表示される表示部１１０を参照しながら、ハンドセット１２２を利用して問合せ等を行うことが可能である。また、顧客は、カード挿入口１３０に取引用のカードを挿入し、入出金口１４０を介して紙幣等の入出金取引を行うことが可能である。
【００２０】
ここで、従来の自動取引装置は、表示部のサイズの拡大とハンドセットの使い勝手とを両立させることが困難であった。従来の自動取引装置の構成について、図２Ａおよび図２Ｂを参照して詳細に説明する。図２Ａは、従来の自動取引装置の構成の例を示す正面図である。また、図２Ｂは、従来の自動取引装置の構成の他の例を示す正面図である。
【００２１】
例えば、図２Ａに示したように、従来の自動取引装置の一例は、筐体１００、表示部１５０、ハンドセット受け部１６０、ハンドセット１６２、カード挿入口１３０および入出金口を備える。このような自動取引装置においては、表示部１５０とハンドセット受け部１６０とが近接しているため、表示部１５０を拡大させることが困難である。
【００２２】
また、図２Ｂに示したように、従来の自動取引装置の他の例は、筐体１００、表示部１７０、カード挿入口１３０、入出金口１４０ならびにハンドセット受け部２１０およびハンドセット２１２を有するブース２００で構成される。このような自動取引装置においては、表示部１５０を拡大させることは可能であるが、ハンドセット受け部２１０およびハンドセット２１２が表示部１５０から離れた位置に配置されるため、ハンドセット２１２の使い勝手が低下する。
【００２３】
そこで、本発明では、ハンドセット１２２の使い勝手を維持しながら表示部１１０の大きさを拡大させることが可能な自動取引装置を提供する。以下、本発明の一実施形態に係る自動取引装置の詳細について説明する。
【００２４】
＜２．自動取引装置の詳細＞
以上、本発明の一実施形態に係る自動取引装置の概要について説明した。次に、本発明の一実施形態に係る自動取引装置の詳細について説明する。
【００２５】
［２−１．自動取引装置の構成］
まず、図３を参照して、本発明の一実施形態に係る自動取引装置の構成について説明する。図３は、本実施形態に係る自動取引装置の概略的な構成を示す側面図および正面図である。
【００２６】
図３に示したように、自動取引装置は、筐体１００、表示部１１０、ハンドセット受け部１２０、ハンドセット１２２、カード挿入口１３０および入出金口１４０を備える。
【００２７】
筐体１００は、自動取引装置の外装である。具体的には、筐体１００は、内部に自動取引装置の収納装置、電源装置または制御装置等の内部装置を収容し、外周に表示部１１０およびハンドセット受け部１２０等を備える。
【００２８】
表示部１１０は、顧客の取引内容等を表示する機器であり、筐体１００に配置される。具体的には、表示部１１０は、筐体１００の正面の上部に、自動取引装置の水平方向の一方に偏って配置される。例えば、図３の自動取引装置の正面図に示したように、表示部１１０は、筐体１００の正面の上部に、表示部１１０の水平方向の中央が、自動取引装置の水平方向の中央に相当する位置を通る直線Ａよりも自動取引装置の正面に向かって右に移動された直線Ｂを通る位置となるように配置され得る。
【００２９】
また、表示部１１０の水平方向の幅は、自動取引装置の水平方向の幅の６６％以上である。例えば、表示部１１０の水平方向の表示領域の幅は、自動取引装置の水平方向の幅が４５８ｍｍ以下であるのに対して、３０４．１ｍｍ以上であり得、表示部１１０の大きさは、スクエア型における１５インチ以上のサイズであり得る。なお、上記の自動取引装置の水平方向の幅は、コンビニエンスストア等に設置されるような小型の自動取引装置の水平方向の幅である。このため、小型の自動取引装置の備えるディスプレイの一般的なサイズよりも表示部１１０のサイズが大きくされることにより、自動取引装置を大きくすることなく顧客の表示部１１０についての視認性を向上させることが可能となる。また、表示部１１０は、ＬＣＤ（Liquid  Crystal  Display）またはＯＥＬＤ（Organic  Electroluminescence  Display）等のディスプレイであり得る。
【００３０】
ハンドセット受け部１２０は、筐体１００に配置され、ハンドセット１２２を格納する。具体的には、ハンドセット受け部１２０は、筐体１００の正面の上部に、自動取引装置の水平方向に表示部１１０と並べて配置される。さらに、ハンドセット受け部１２０は、ハンドセット１２２の形状に合わせて形成され、ハンドセット１２２を格納する。
【００３１】
例えば、図３の自動取引装置の正面図に示したように、ハンドセット受け部１２０は、筐体１００の正面の上部に、自動取引装置の水平方向に表示部１１０と並べて配置され得る。なお、ハンドセット受け部１２０は、表示部１１０の下端よりも重力方向にずれて配置され得る。このため、ハンドセット受け部１２０に格納されるハンドセット１２２に手が届きやすくされることにより、顧客の利便性を向上させることが可能となる。さらに、図３の自動取引装置の側面図に示したように、ハンドセット受け部１２０は、筐体１００と一体的に形成され得、ハンドセット１２２の凸部の形状に合う凹部を有するように形成され得る。このため、筐体１００およびハンドセット受け部１２０の製造工程を分けずにハンドセット受け部１２０が形成されることにより、製造に係る時間およびコストを低減させることが可能となる。なお、ハンドセット受け部１２０は、筐体１００と別個に製造されて、筐体１００と組み合わせられてもよい。
【００３２】
さらに、図４を参照して、ハンドセット受け部１２０の態様について詳細に説明する。図４は、本実施形態に係る自動取引装置の図３の自動取引装置の正面図におけるＩ−Ｉの線で切断された断面図である。なお、図４に示される単位（ｍｍ）付きの数値は、自動取引装置の水平方向における数値である。
【００３３】
ハンドセット受け部１２０は、筐体１００の凹部として形成される。例えば、図４に示したように、ハンドセット受け部１２０は、筐体１００の自動取引装置の正面に向かって左の凹部として形成され得、当該凹部にハンドセット１２２が格納され得る。例えば、ハンドセット受け部１２０は、底部および底部から筐体１００の表面までの斜面部で形成され得、底部の幅が４５ｍｍ程度、斜面部の各々の幅が７ｍｍ程度で形成され得る。また、底部の幅は、格納されたハンドセット１２２の水平方向の幅に相当する幅であり得る。
【００３４】
さらに、ハンドセット受け部１２０に格納された状態のハンドセット１２２は、ハンドセット受け部１２０の縁部よりも自動取引装置の外側に突出する。例えば、ハンドセット受け部１２０の縁部は、ハンドセット受け部１２０に格納された状態のハンドセット１２２の形状に沿って形成され得る。そして、ハンドセット受け部１２０の自動取引装置の正面に向かって左側の縁部は、筐体１００の自動取引装置の正面に向かって左側の縁部から２１ｍｍ程度離隔され得る。また、ハンドセット受け部１２０の自動取引装置の正面に向かって右側の縁部は、表示部１１０の自動取引装置の正面に向かって左側の縁部から２６ｍｍ程度離隔され得る。
このため、ハンドセット１２２が顧客の掴みやすいように突出されることにより、ハンドセット１２２の操作性を向上させることが可能となる。
【００３５】
なお、ハンドセット受け部１２０は、筐体１００の自動取引装置の正面に向かって左側の縁部から２１ｍｍ程度離隔されて形成され得る。このため、筐体１００の自動取引装置の正面に向かって左側が壁等に接するように自動取引装置が設置される場合に、顧客がハンドセット受け部１２０に格納されたハンドセット１２２を取る動作において、顧客の手が壁等に当たることが防止され、顧客はハンドセット１２２の取得動作を円滑に行うことが可能となる。
【００３６】
ここで図３を参照して自動取引装置の構成の説明に戻ると、ハンドセット１２２は、音声出力を行う機器である。具体的には、ハンドセット１２２は、自動取引装置の別途備える記憶部等から取得される音声、または通信を介して自動取引装置の外部から取得される音声を出力する。例えば、ハンドセット１２２は、記憶部等に記憶される自動取引装置の利用ガイダンス等の音声情報に基づいて音声出力を行い得る。なお、ハンドセット１２２は、通話機能を有してもよい。例えば、ハンドセット１２２は、固定電話またはＩＰ（Internet  Protocol）電話サービス対応の電話機等であり得、受信された音声を出力し得、送信される、ハンドセット１２２の周辺の音声を集音し得る。また、ハンドセット１２２は、入力機能を有してもよい。例えば、ハンドセット１２２は、数字等の入力ボタンを有し得、ボタンの押下によって音声出力または通話を行い得る。また、ハンドセット１２２に入力された内容に応じて、表示部１１０に表示される内容が変化してもよい。
【００３７】
また、ハンドセット１２２は、ハンドセット受け部１２０に格納される。具体的には、ハンドセット１２２は、直方体に相当する形状であり、長辺方向を自動取引装置の水平方向に対する垂直方向にした状態でハンドセット受け部１２０に格納される。例えば、図３の自動取引装置の正面図に示したように、ハンドセット１２２は、ハンドセット１２２の形状に合わせて自動取引装置の水平方向に対する垂直方向を長辺として形成されたハンドセット受け部１２０に格納され得る。なお、自動取引装置は、ハンドセット１２２がハンドセット受け部１２０に格納されているかを判定する判定部を備える。例えば、自動取引装置は、音声出力終了後の一定時間経過後において、判定部によりハンドセット１２２がハンドセット受け部１２０に格納されていないと判定された場合、自動取引装置の別途備えるスピーカ等から警告音等を鳴らし得る。なお、判定部は赤外線センサ等であり得る。
【００３８】
さらに、ハンドセット１２２の長辺側面は、ハンドセット１２２がハンドセット受け部１２０に格納された状態で、ハンドセット１２２の長辺側面とハンドセット受け部１２０の縁部との間に隙間が生じるように形成される。ハンドセット１２２の態様について、図５を参照して説明する。図５は、本実施形態に係る自動取引装置のハンドセット受け部１２０の周辺の形状の例を示す斜視図である。
【００３９】
図５に示したように、ハンドセット１２２の長辺側面の一側は、ハンドセット１２２が、筐体１００に形成されるハンドセット受け部１２０に格納された状態で、ハンドセット１２２の長辺側面の一側とハンドセット受け部１２０の縁部との間に隙間Ｓが生じるように形成され得る。なお、図５に示されていない他側の長辺側面もまた、隙間Ｓが生じるように形成され得る。このため、ハンドセット１２２の長辺側面が顧客の掴みやすいように形成されることにより、ハンドセット１２２の操作性を向上させることが可能となる。
【００４０】
また、上記の隙間におけるハンドセット受け部１２０の底部の深さは、隙間が無い底部の深さよりも浅くてもよい。例えば、図３の自動取引装置の側面図に示したように、ハンドセット受け部１２０とハンドセット１２２との隙間が生じる部分の底部は、ハンドセット受け部１２０にハンドセット１２２が接して隙間が生じない、筐体１００の自動取引装置の正面に向かって上下２か所の底部の深さよりも浅く形成され得る。このため、ハンドセット１２０に格納されたハンドセット１２２が固定されることにより、ハンドセット１２２がハンドセット受け部１２０から振動等によって外れることを抑制することが可能となる。
【００４１】
カード挿入口１３０は、カードの入出力を行う機器であり、筐体１００に配置される。具体的には、カード挿入口１３０は、顧客により挿入されるカードを受け付け、カードリーダライタ等の内部装置に渡す。また、カード挿入口１３０は、内部装置から受け取ったカードを出力し、顧客に返却する。
【００４２】
入出金口１４０は、紙幣および硬貨の入出力を行う機器であり、筐体１００に配置される。具体的には、入出金口１４０は、入金時には、紙幣等の投入口が開口され、投入された紙幣等を自動取引装置の備える収納部に収納させ、出金時には、収納部から紙幣等が投入口に搬送されると投入口を開口する。
【００４３】
上記のカード挿入口１３０および入出金口１４０等の自動取引装置における入出力部は、表示部１１０の位置を基準に配置される。例えば、図３の自動取引装置の正面図に示したように、カード挿入口１３０および入出金口１４０は、表示部１１０の中央を通る直線Ｂが、カード挿入口１３０および入出金口１４０の水平方向の中央を通るように配置され得る。このため、表示部１１０が自動取引装置の水平方向の一方に偏って配置されることによる入出金部の操作性の低下を抑制することが可能となる。
【００４４】
このように、本発明の一実施形態によれば、自動取引装置は、自動取引装置の水平方向の一方の側に偏って配置され、水平方向の幅が自動取引装置の水平方向の幅の６６％以上である表示部１１０と、水平方向の他方の側に配置されるハンドセット受け部１２０と、を備える。このため、自動取引装置を大きくすることなく、表示部１１０のサイズ拡大と、ハンドセット１２２の使い勝手とを両立させることが可能となる。
【００４５】
［２−２．変形例］
以上、本発明の一実施形態について説明した。なお、本実施形態は、上述の例に限定されない。以下に、本実施形態の変形例について説明する。
【００４６】
本実施形態の変形例にとして、ハンドセット受け部１２０は、ハンドセット１２２に隣接する突出部を有してもよい。具体的には、ハンドセット受け部１２０は、ハンドセット受け部１２０に格納された状態のハンドセット１２２の長辺側面に隣接する少なくとも１の突出部を有する。さらに、図６および図７を参照して、ハンドセット受け部１２０の突出部の態様について説明する。図６は、本実施形態の変形例に係る自動取引装置のハンドセット受け部１２０にハンドセット１２２が格納された状態の例を示す斜視図であり、図７は、本実施形態の変形例に係る自動取引装置のハンドセット受け部１２０からハンドセット１２２が外された状態の例を示す斜視図である。
【００４７】
図６に示したように、ハンドセット受け部１２０は、ハンドセット受け部１２０にハンドセット１２２が格納された状態において、ハンドセット１２２の長辺側面の下部に隣接する突出部１２４Ａを有し得る。さらに、図７に示したように、ハンドセット受け部１２０は、突出部１２４Ａに対応する突出部１２４Ｂを有し得る。なお、突出部１２４Ｂは、ハンドセット１２２を挟んで対称となる位置に形成され得る。
【００４８】
このように、本実施形態の変形例によれば、ハンドセット受け部１２０は、ハンドセット受け部１２０に格納された状態のハンドセット１２２の長辺側面に隣接する少なくとも１の突出部を有する。このため、ハンドセット１２２がハンドセット受け部１２０の形状に合わせて格納されなかった場合に、ハンドセット１２２がハンドセット受け部１２０から外れることにより、顧客にハンドセット１２２の未格納状態に気づかせ、ハンドセット１２２を格納させることが可能となる。また、ハンドセット１２２がハンドセット受け部１２０の形状に合わせて格納されている場合には、振動等によってハンドセット１２２がハンドセット受け部１２０から外れることを抑制することが可能となる。
【００４９】
なお、突出部１２４Ａは、曲線状の縁部を有するように形成され得る。このため、顧客はハンドセット１２２を操作する手に怪我をしにくくなり、ハンドセット１２２の操作の安全性を向上させることが可能となる。また、突出部は、多角形の縁部を有してもよい。
【００５０】
また、ハンドセット１２２の長辺側面のハンドセット受け部１２０の縁部との隙間は、ハンドセット１２２がハンドセット受け部１２０に格納された状態で、突出部と重ならない位置に形成される。例えば、図６に示したように、ハンドセット１２２がハンドセット受け部１２０に格納された状態において、自動取引装置の正面に向かって右側のハンドセット１２２の長辺側面とハンドセット受け部１２０の縁部との間に生じる隙間Ｓは、突出部１２４Ａ等と重ならない位置に形成され得る。このため、隙間Ｓの空間が突出部１２４Ａ等により狭められることが防止されることにより、ハンドセット１２２の操作性を維持しながら、突出部１２４Ａ等を設けることが可能となる。
【００５１】
＜３．むすび＞
以上、本発明の一実施形態によれば、自動取引装置を大きくすることなく、表示部１１０のサイズ拡大と、ハンドセット１２２の使い勝手とを両立させることが可能となる。
【００５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５３】
例えば、上記では、ハンドセット受け部１２０は、表示部１１０の下端よりも重力方向にずれて配置される例を説明したが、ハンドセット受け部１２０は、表示部１１０の下端とハンドセット受け部１２０の下端が同じ位置となるように配置されてもよく、表示部１１０の下端より上方にハンドセット受け部１２０の下端が位置するように配置されてもよい。この場合は、ハンドセット受け部１２０の位置が、自動取引装置の高さ、または対象ユーザの身長等に応じて変更されることにより、ユーザはハンドセット１２２の操作を円滑に行うことができる。
【００５４】
また、ハンドセット受け部１２０の位置が変更されず、表示部１１０が重力方向に移動されて配置されることにより、ハンドセット受け部１２０の下端と表示部１１０の下端との位置関係が変更されてもよい。この場合、ハンドセット１２２の使い勝手を維持しながら、表示部１１０を用途に適した位置に配置することが可能となる。
【符号の説明】
【００５５】
１００    筐体
１１０    表示部
１２０    ハンドセット受け部
１２２    ハンドセット
１２４    突出部
１３０    カード挿入口
１４０    入出金口
【図１】
2015194824.tif 000003
【図２Ａ】
2015194824.tif 000004
【図２Ｂ】
2015194824.tif 000005
【図３】
2015194824.tif 000006
【図４】
2015194824.tif 000007
【図５】
2015194824.tif 000008
【図６】
2015194824.tif 000009
【図７】
2015194824.tif 000010